(57)【特許請求の範囲】
【請求項１】
複数の送信信号に対してそれぞれ異なる拡散符号を用いた拡散処理を実行することが可能な拡散手段と、前記拡散手段により拡散処理された各送信信号を符号分割多重して周波数分割多重することによりＯＦＤＭ信号を生成するＯＦＤＭ信号生成手段と、前記拡散手段により拡散処理された送信信号の数に応じた長さのガード区間を前記ＯＦＤＭ信号に挿入するガード区間挿入手段と、を具備することを特徴とする送信装置。
【請求項２】
拡散処理された送信信号の数に応じた長さのガード区間が挿入されたＯＦＤＭ信号を通信相手から伝送路を介して受信する受信手段と、受信されたＯＦＤＭ信号から前記ガード区間を除去する除去手段と、を具備することを特徴とする受信装置。
【請求項３】
請求項１に記載の送信装置と、請求項２に記載の受信装置と、を具備することを特徴とする通信端末装置。
【請求項４】
請求項１に記載の送信装置と、請求項２に記載の受信装置と、を具備することを特徴とする基地局装置。
【請求項５】
送信すべき複数の送信信号に対してそれぞれ異なる拡散符号を用いた拡散処理を行う拡散工程と、拡散処理された各送信信号を符号分割多重して周波数分割多重することによりＯＦＤＭ信号を生成する生成工程と、拡散処理された送信信号の数に応じた長さのガード区間を前記ＯＦＤＭ信号に挿入する工程と、前記ガード区間が挿入されたＯＦＤＭ信号を伝送路に対して送信する送信工程と、前記伝送路を介して前記ガード区間が挿入されたＯＦＤＭ信号を受信する工程と、受信されたＯＦＤＭ信号から前記ガード区間を除去する除去工程と、を具備することを特徴とする送受信方法。
【発明の詳細な説明】
【０００１】
【発明の属する技術分野】
本発明は、移動体通信システムに用いられる送受信装置に関し、特に、ＣＤＭＡ（Ｃｏｄｅ  Ｄｉｖｉｓｉｏｎ  Ｍｕｌｔｉｐｌｅ  Ａｃｃｅｓｓ）方式にＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を組み合わせたＯＦＤＭ−ＣＤＭＡ方式の送受信装置に関する。
【０００２】
【従来の技術】
近年、ＣＤＭＡ方式にＯＦＤＭ方式を組み合わせたＯＦＤＭ−ＣＤＭＡ方式の送受信装置についての検討が盛んに行われている。以下、従来のＯＦＤＭ−ＣＤＭＡ方式の送受信装置について、図５を参照して説明する。図５は、従来のＯＦＤＭ−ＣＤＭＡ方式の送受信装置の構成を示すブロック図である。
【０００３】
図５に示す送受信装置の送信系において、送信信号１〜送信信号ｎのｎ個の送信信号は、それぞれ拡散部５０１ａ１〜拡散部５０１ａｎにより、拡散符号１〜拡散符号ｎを用いて拡散処理される。なお、各拡散符号の拡散比をｋとする。
【０００４】
拡散処理されたｎ個の送信信号は、加算部５０２により符号分割多重される。符号分割多重された（一系列の）信号は、シリアル・パラレル（Ｓｅｒｉａｌ−Ｐａｒａｌｌｅｌ；Ｓ／Ｐ）変換部５０３により、複数系列の信号に変換される。ここでは、符号分割多重された信号は、拡散信号（チップ）毎に、すなわち第１チップ〜第ｋチップに分解される。第１チップ〜第ｋチップの複数系列の信号は、ＩＦＦＴ部５０４に送られる。
【０００５】
ＩＦＦＴ部５０４では、複数系列の信号に対する逆フーリエ変換（ＩＦＦＴ）処理がなされる。すなわち、第１チップ〜第ｋチップの信号は、拡散比（ｋ）分だけ用意されたサブキャリアに配置されて、周波数分割多重される。
【０００６】
具体的には、図６に示すように、サブキャリア１には、符号分割多重された拡散処理後の送信信号１〜送信信号ｎの第１チップが配置され、サブキャリアｋには、符号分割多重された拡散処理後の送信信号１〜送信信号ｎの第ｋチップが配置される。
【０００７】
図５において、ＩＦＦＴ処理後の信号は、ガード区間挿入部５０５により、ガード区間が挿入される。ガード区間が挿入されることにより生成された信号のフォーマットを図７に示す。図７に示すＯＦＤＭ信号のフォーマットは、ＩＦＦＴ処理後の信号（有効シンボル７０２）における例えば終端側１／４の波形７０３が、有効シンボル７０２の先端に挿入されたものとなっている。
【０００８】
上記のようなガード区間を挿入することにより、通信相手側においては、遅延波が存在する場合でも、その遅延波の遅延時間が前記ガード区間より短いものであるならば、あるＯＦＤＭ信号における有効シンボル区間には、前ＯＦＤＭ信号における有効シンボル区間の成分が存在しない。すなわち、あるＯＦＤＭ信号と前ＯＦＤＭ信号との符号間干渉を抑えることができる。
【０００９】
図５において、ガード区間挿入部５０５によりガード区間が挿入された信号は、アンテナ５０６を介して通信相手に対して送信される。
【００１０】
一方、上記通信相手が送信した信号は、図５に示す送受信装置により、アンテナ５０６を介して受信される。なお、上記通信相手は、上述したものと同様の送信系の装置を備えており、上述した処理を行った信号を送信する。
【００１１】
受信系において、アンテナ５０６を介して受信された信号（受信信号）は、ガード区間除去部５０７により、通信相手により挿入されたガード区間が除去される。
【００１２】
ガード区間が除去された受信信号は、ＦＦＴ部５０８により、各サブキャリアにより伝送された信号が取り出される。各サブキャリアにより伝送された信号は、それぞれ伝送路補償部５０９ａ１〜伝送路補償部５０９ａｋにより、フェージング等についての伝送路補償処理がなされた後、パラレル・シリアル（Ｐａｒａｌｌｅｌ−Ｓｅｒｉａｌ；Ｐ／Ｓ）変換部５１０に送られる。
【００１３】
Ｐ／Ｓ変換部５１０では、伝送路補償部５０９ａ１〜伝送路補償部５０９ａｋからの複数系列の信号が、一系列の信号に変換される。ここでは、時刻ｔ１においては、伝送路補償部５０９ａ１からの信号、すなわち、通信相手により符号分割多重された拡散処理後の送信信号１〜送信信号ｎにおける第１チップが出力され、時刻ｔｋにおいては、伝送路補償部５０９ａｋからの信号、すなわち、通信相手により符号分割多重された拡散処理後の送信信号１〜送信信号ｎにおける第ｋチップが出力される。
【００１４】
Ｐ／Ｓ変換部５１０からの一系列の信号は、逆拡散部５１１ａ１〜逆拡散部５１１ａｎにより、それぞれ拡散符号１〜拡散符号ｎを用いて逆拡散処理がなされる。この結果、逆拡散部５１１ａ１〜逆拡散部５１１ａｎにより、それぞれ復調信号１〜復調信号ｎが取り出される。
【００１５】
なお、ここでは、ｎユーザ分の送信信号についての通信を行う場合について説明したが、送信すべきユーザの数に対応するだけの送信信号が、それぞれ拡散された後、符号分割多重される。すなわち、加算部５０２により多重される信号の数（以下「多重信号数」という。）は、送信すべきユーザの数に相当する。
【００１６】
【発明が解決しようとする課題】
しかしながら、上記従来のＯＦＤＭ−ＣＤＭＡ方式の送受信装置においては、以下に示すような問題がある。すなわち、上述したように、あるＯＦＤＭ信号における前ＯＦＤＭ信号による符号間干渉を抑えるためには、図７に示したＯＦＤＭ信号フォーマットにおけるガード区間７０１の長さを、遅延波の希望波に対する遅延時間よりも長く設定する必要がある。
【００１７】
ところが、このガード区間は受信系におけるＦＦＴ処理には用いないものであるので、ＯＦＤＭ信号フォーマットに挿入されるガード区間の分だけ伝送効率が低下することになる。例えば、ガード区間長を有効シンボル長の１／４に設定した場合には、伝送効率は、ガード区間を挿入しない場合に比べて２０％低下する。
【００１８】
そこで、伝送効率の低下を防止するために、ガード区間を短く設定する方法がある。しかし、遅延波の遅延時間が、短く設定されたガード区間長より大きい場合には、あるＯＦＤＭ信号における前ＯＦＤＭ信号による符号間干渉の影響が大きくなるので、復調信号における誤り率特性が劣化することになる。
【００１９】
以上のように、従来のＯＦＤＭ−ＣＤＭＡ方式の送受信装置においては、遅延波が存在する場合には、伝送効率または誤り率特性のいずれかが劣化するという問題がある。
【００２０】
本発明は、かかる点に鑑みてなされたものであり、遅延波が存在する場合においても伝送効率および誤り率特性をともに良好に保つ送受信装置を提供することを目的とする。
【００２１】
【課題を解決するための手段】
本発明の送信装置は、複数の送信信号に対してそれぞれ異なる拡散符号を用いた拡散処理を実行することが可能な拡散手段と、前記拡散手段により拡散処理された各送信信号を符号分割多重して周波数分割多重することによりＯＦＤＭ信号を生成するＯＦＤＭ信号生成手段と、前記拡散手段により拡散処理された送信信号の数に応じた長さのガード区間を前記ＯＦＤＭ信号に挿入するガード区間挿入手段と、を具備することを特徴とする。
【００２２】
本発明によれば、拡散処理された送信信号の数すなわち多重信号数に応じて、ＯＦＤＭ信号に挿入するガード区間の長さを変更することにより、通信相手側において、あるＯＦＤＭ信号における前ＯＦＤＭ信号による符号間干渉の影響を小さくできるので、復調信号における誤り率特性を良好に保つことができる。すなわち、多重信号数が少ない場合には、通信相手側における復調信号の誤り率特性が劣化しない範囲において、ＯＦＤＭ信号に挿入するガード区間の長さを小さくし、多重信号数が大きい場合には、通信相手側における復調信号の誤り率特性が所望の特性となるように、ＯＦＤＭ信号に挿入するガード区間の長さを大きくすることにより、伝送効率および誤り率特性をともに良好に保つことができる。
【００２３】
本発明の受信装置は、拡散処理された送信信号の数に応じた長さのガード区間が挿入されたＯＦＤＭ信号を通信相手から伝送路を介して受信する受信手段と、受信されたＯＦＤＭ信号から前記ガード区間を除去する除去手段と、を具備することを特徴とする。
【００２４】
本発明によれば、通信相手により多重信号数に応じたガード区間が挿入されたＯＦＤＭ信号から上記ガード区間を除去するので、あるＯＦＤＭ信号における前ＯＦＤＭ信号による符号間干渉の影響を小さくできるので、復調信号における誤り率特性を良好に保つことができる。
【００２５】
本発明の通信端末装置は、上記送信装置と上記受信装置とを具備することを特徴とする。
【００２６】
本発明によれば、伝送効率および誤り率特性をともに良好に保つことができる送信装置および受信装置を搭載するので、良好かつ効率的な通信を行うことができる。
【００２７】
本発明の基地局装置は、上記送信装置と上記受信装置とを具備することを特徴とする。
【００２８】
本発明によれば、伝送効率および誤り率特性をともに良好に保つことができる送信装置および受信装置を搭載するので、良好かつ効率的な通信を行うことができる。
【００２９】
本発明の送受信方法は、送信すべき複数の送信信号に対してそれぞれ異なる拡散符号を用いた拡散処理を行う拡散工程と、拡散処理された各送信信号を符号分割多重して周波数分割多重することによりＯＦＤＭ信号を生成する生成工程と、拡散処理された送信信号の数に応じた長さのガード区間を前記ＯＦＤＭ信号に挿入する工程と、前記ガード区間が挿入されたＯＦＤＭ信号を伝送路に対して送信する送信工程と、前記伝送路を介して前記ガード区間が挿入されたＯＦＤＭ信号を受信する工程と、受信されたＯＦＤＭ信号から前記ガード区間を除去する除去工程と、を具備することを特徴とする。
【００３０】
本発明によれば、送信工程において、拡散処理された送信信号の数すなわち多重信号数に応じて、ＯＦＤＭ信号に挿入するガード区間の長さを変更することにより、受信工程において、あるＯＦＤＭ信号における前ＯＦＤＭ信号による符号間干渉の影響を小さくできるので、復調信号における誤り率特性を良好に保つことができる。
【００３１】
【発明の実施の形態】
本発明者は、多重信号数と符号間干渉との間の関係、すなわち、多重信号数が増加するにつれて、あるＯＦＤＭ信号における前ＯＦＤＭ信号による符号間干渉の影響が大きくなり、逆に、多重信号数が減少するにつれて、上記符号間干渉の影響が小さくなることに着目し、多重信号数が少ない場合には、ガード区間長を遅延波の遅延時間より短くしても、符号間干渉の影響は小さいので、復調信号における誤り率特性の劣化を小さくできることを見出し本発明をするに至った。
【００３２】
本発明の骨子は、多重信号数に応じて、ＯＦＤＭ信号に挿入するガード区間の長さを変更するようにしたことである。
【００３３】
以下、本発明の実施の形態について、図面を参照して詳細に説明する。
【００３４】
（実施の形態１）
図１は、本発明の実施の形態１にかかる送受信装置の構成を示すブロック図である。なお、本実施の形態においては、通信可能なユーザの送信信号の総数を例えばｎとした場合について説明する。
【００３５】
送信すべきユーザの送信信号の数すなわち多重信号数がｎである場合には、送信信号１〜送信信号ｎは、それぞれ、拡散部１０１ａ１〜拡散部１０１ａｎにより、拡散符号１〜拡散符号ｎを用いて拡散処理された後、加算部１０２に送られる。ここで、各拡散符号の拡散比をｋとする。
【００３６】
送信すべきユーザの送信信号の数がｎより少ない場合、例えば、多重信号数がｎ／２である場合には、送信信号１〜送信信号ｎ／２は、それぞれ、拡散部１０１ａ１〜拡散部１０１ａｎのうちのいずれかに入力されて拡散処理された後、加算部１０２に送られる。
【００３７】
加算部１０２では、拡散部１０１ａ１〜拡散部１０１ａｎからの拡散処理後の各送信信号は符号分割多重される。符号分割多重された信号は、Ｓ／Ｐ変換部１０３に送られる。
【００３８】
Ｓ／Ｐ変換部１０３では、符号分割多重された（一系列の）信号は、複数系列の信号に変換される。ここでは、符号分割多重された信号は、拡散信号（チップ）毎に、すなわち、第１チップ〜第ｋチップに分解される。第１チップ〜第ｋチップの複数系列の信号は、ＩＦＦＴ部１０４に送られる。
【００３９】
ＩＦＦＴ部１０４では、複数系列の信号に対する逆フーリエ変換（ＩＦＦＴ）処理がなされる。すなわち、第１チップ〜第ｋチップの信号は、拡散比（ｋ）分だけ用意されたサブキャリアに配置されて、周波数分割多重される。周波数分割多重された信号は、ガード区間挿入部１０５に送られる。
【００４０】
ガード区間挿入部１０５では、周波数分割多重された信号に対して、多重信号数に応じた長さを有するガード区間が挿入される。このガード区間の挿入方法について、具体的に説明する。
【００４１】
ガード区間の長さとしては、複数個用意することが可能であるが、ここでは、説明を簡単にするために、２種類用意する場合について説明する。この２種類のガード区間長、すなわち、第１区間長および第２区間長は、それぞれ、例えば、有効シンボル長の１／４および１／８であるものとする。
【００４２】
多重信号数がしきい値（例えばｎ／２）より大きい場合には、制御部１０６よりセレクタ１０７に対して、第１区間長のガード区間を用いる旨の制御信号が出力される。逆に、多重信号数が上記しきい値以下である場合には、制御部１０６よりセレクタ１０７に対して、第２区間長のガード区間を用いる旨の制御信号が出力される。なお、上記しきい値は、多重信号数と通信相手側の復調信号における誤り率特性との関係を考慮して設定されるものである。
【００４３】
さらに、第１区間長および第２区間長は、上記しきい値および通信相手側の復調信号における誤り率特性等を考慮して設定される。第１区間長および第２区間長は、それぞれ、多重信号数が上記しきい値より大きい場合、および、多重信号数が上記しきい値以下である場合、において、所望の特性が得られるように設定される。
【００４４】
セレクタ１０７には、第１区間長を示す信号および第２区間長を示す信号が入力されている。さらに、セレクタ１０７では、ガード区間挿入部１０５に出力すべき信号として、第１区間長を示す信号または第２区間長を示す信号のいずれかが、制御部１０６からの制御信号に応じて選択される。選択された信号は、ガード区間挿入部１０５に出力される。
【００４５】
ガード区間挿入部１０５では、周波数分割多重された信号に対して、セレクタ１０７からの第１区間長を示す信号または第２区間長を示す信号に対応した長さのガード区間が挿入される。このようなガード区間が挿入されることにより生成されたＯＦＤＭ信号のフォーマットについて、図２および図３を参照して説明する。
【００４６】
図２は、本発明の実施の形態１にかかる送受信装置における第１区間長のガード区間が挿入されたＯＦＤＭ信号のフォーマットの一例を示す模式図であり、図３は、本発明の実施の形態１にかかる送受信装置における第２区間長のガード区間が挿入されたＯＦＤＭ信号のフォーマットの一例を示す模式図である。
【００４７】
図２に示すＯＦＤＭ信号のフォーマットは、ＩＦＦＴ処理後の信号（有効シンボル２０２）における終端側１／４の波形２０３が、有効シンボル２０２の先端に挿入されたものとなっている。また、図３に示すＯＦＤＭ信号のフォーマットは、ＩＦＦＴ処理後の信号（有効シンボル３０２）における終端側１／８の波形３０３が、有効シンボル３０２の先端に挿入されたものとなっている。
【００４８】
ここで、ガード区間挿入部１０５におけるガード区間挿入タイミングについて、ＩＦＦＴ処理後の信号に対して第１区間長のガード区間を挿入する場合を例にとり、図４を参照して説明する。図４は、本発明の実施の形態１にかかる送受信装置におけるＩＦＦＴ処理後の信号に第１区間長のガード区間を挿入するタイミングを示す模式図である。
【００４９】
図４において、（ａ）には、ＩＦＦＴ部１０４から出力されるＩＦＦＴ処理後の信号が示され、（ｂ）には、セレクタ１０７からガード区間挿入部１０５に出力される第１区間長を示す信号が示され、（ｃ）には、ガード区間挿入部１０５から出力される、ガード区間が挿入された信号が示されている。
【００５０】
（ｂ）に示すように、第１区間長を示す信号は、ＩＦＦＴ処理後の信号の終端側１／４の先端が出力された時点で「ＯＮ」とされ、ＩＦＦＴ処理後の信号の終端が出力された時点で「ＯＦＦ」とされている。
【００５１】
このような第１区間長の信号を受信するガード区間挿入部１０５では、まず、ＩＦＦＴ部１０４からのＩＦＦＴ処理後の信号（有効シンボル２０２）が保持される一方、第１区間長を示す信号が「ＯＮ」となった時点から「ＯＦＦ」となる時点までにおいては、ＩＦＦＴ部１０４からの信号が出力され、第１区間長を示す信号が「ＯＦＦ」となった時点からは、保持された有効シンボル２０２が出力される。
【００５２】
この結果、ガード区間挿入部１０５からは、（ｃ）に示すようなＯＦＤＭ信号すなわち図２に示したＯＦＤＭ信号が出力される。なお、ここでは、第１区間長のガード区間を挿入するタイミングについて説明したが、第２区間長のガード区間を挿入するタイミングについては、第１区間長を示す信号に代えて第２区間長を示す信号を用いる点を除いて、第１区間長のガード区間を挿入する場合と同様である。
【００５３】
再度図１を参照するに、ガード区間が挿入されたＩＦＦＴ処理後の信号は、アンテナ１０８を介して、通信相手に対して送信される。
【００５４】
一方、上記通信相手が送信した信号は、伝送路を介してアンテナ１０８により受信される。なお、上記通信相手は、上述したものと同様の送信系の装置を備えており、上述した処理を行った信号を送信する。
【００５５】
受信系において、アンテナ１０８を介して受信された信号（受信信号）は、ガード区間除去部１１０により、通信相手により挿入されたガード区間が除去される。このガード区間除去部１１０によるガード区間除去方法について、具体的に説明する。
【００５６】
上記通信相手によりＯＦＤＭ信号に第１区間長のガード区間が挿入された場合には、制御部１０６よりセレクタ１０９に対して、各ＯＦＤＭ信号毎に第１区間長のガード区間を除去する旨の制御信号が出力される。逆に、上記通信相手によりＯＦＤＭ信号に第２区間長のガード区間が挿入された場合には、制御部１０６よりセレクタ１０９に対して、各ＯＦＤＭ信号毎に第２区間長のガード区間を除去する旨の制御信号が出力される。
【００５７】
なお、制御部１０６は、上記通信相手により用いられたガード区間長を認識するには、例えば、以下のような方法を採用すればよい。すなわち、例えば、上記通信相手が、用いたガード区間長を報知するための信号を送信信号に含め、制御部１０６が、受信した信号における上記含められた信号に基づいて、上記通信相手により用いられたガード区間長を認識する方法である。また、ガード区間長は、上述したように、多重信号数に応じて設定されているので、制御部１０６は、多重信号数を認識することにより、上記通信相手により用いられたガード区間長を認識することができる。
【００５８】
セレクタ１０９には、第１区間長を示す信号および第２区間長を示す信号が入力されている。さらに、セレクタ１０９では、ガード区間除去部１１０に出力すべき信号として、第１区間長を示す信号または第２区間長を示す信号のいずれかが、制御部１０６からの制御信号に応じて選択される。選択された信号は、ガード区間除去部１１０に出力される。
【００５９】
ガード区間除去部１１０では、セレクタ１０９からの第１区間長を示す信号または第２区間長を示す信号に基づいて、アンテナ１０８からの受信信号から各ＯＦＤＭ信号毎にガード区間が除去される。すなわち、ガード区間除去部１１０では、アンテナ１０８からの受信信号について各ＯＦＤＭ信号毎に、先端から、セレクタ１０９からの第１区間長を示す信号または第２区間長を示す信号に対応する長さだけの信号が除去される。ガード区間が除去された受信信号は、ＦＦＴ部１１１に出力される。
【００６０】
ガード区間が除去された受信信号は、ＦＦＴ部１１１により、各サブキャリアにより伝送された信号が取り出される。各サブキャリアにより伝送された信号は、それぞれ伝送路補償部１１２ａ１〜伝送路補償部１１２ａｋにより、フェージング等についての位相補償処理がなされた後、Ｐ／Ｓ変換部１１３に送られる。
【００６１】
Ｐ／Ｓ変換部１１３では、伝送路補償部１１２ａ１〜伝送路補償部１１２ａｋからの複数系列の信号が、一系列の信号に変換される。ここでは、時刻ｔ１においては、伝送路補償部１１２ａ１からの信号、すなわち、通信相手により符号分割多重された拡散処理後の送信信号１〜送信信号ｎにおける第１チップが出力され、時刻ｔｋにおいては、伝送路補償部１１２ａｋからの信号、すなわち、通信相手により符号分割多重された拡散処理後の送信信号１〜送信信号ｎにおける第ｋチップが出力される。
【００６２】
Ｐ／Ｓ変換部１１３からの一系列の信号は、逆拡散部１１４ａ１〜逆拡散部１１４ａｎにより、それぞれ拡散符号１〜拡散符号ｎを用いて逆拡散処理がなされる。この結果、逆拡散部１１４ａ１〜逆拡散部１１４ａｎにより、それぞれ復調信号１〜復調信号ｎが取り出される。
【００６３】
なお、多重信号数がｎより少ない場合、例えば、多重信号数がｎ／２である場合には、逆拡散部１１４ａ１〜逆拡散部１１４ａｎにおけるｎ／２個の逆拡散部よりｎ／２個の復調信号が取り出されることはいうまでもない。すなわち、通信相手により多重された送信信号と同数の復調信号が取り出される。
【００６４】
通信相手は、多重信号数に応じて、あるＯＦＤＭ信号における前ＯＦＤＭ信号による符号間干渉の影響が小さくなるように、ＯＦＤＭ信号に挿入するガード区間の長さを変更しているので、逆拡散部１１４ａ１〜逆拡散部１１４ａｎにより取り出される復調信号の誤り率特性は、良好なものとなる。
【００６５】
このように、本実施の形態によれば、送信側において、多重信号数に応じて、ＯＦＤＭ信号に挿入するガード区間の長さを変更することにより、受信側において、あるＯＦＤＭ信号における前ＯＦＤＭ信号による符号間干渉の影響を小さくできるので、復調信号における誤り率特性を良好に保つことができる。
【００６６】
すなわち、多重信号数が少ない場合には、受信側における復調信号の誤り率特性が劣化しない範囲において、送信側においてＯＦＤＭ信号に挿入するガード区間の長さを小さくし、多重信号数が大きい場合には、受信側における復調信号の誤り率特性が所望の特性となるように、送信側においてＯＦＤＭ信号に挿入するガード区間の長さを大きくする。これにより、伝送効率および誤り率特性をともに良好に保つ送受信装置を提供することができる。
【００６７】
なお、本実施の形態においては、多重信号数に応じて変更するガード区間長を２種類とした場合について説明したが、本発明は、これに限定されず、多重信号数に応じて変更するガード区間長を３種類以上とした場合にも適用可能なものである。この場合には、多重信号数に応じて綿密にガード区間長を変更することができるので、復調信号の誤り率特性を良好に保ちつつ、さらに伝送効率を向上させることができる。
【００６８】
また、本実施の形態においては、多重信号数に応じてＯＦＤＭ信号に挿入するガード区間の長さを変更するために、図１に示した構成により実現した場合について説明したが、本発明は、これに限定されず、多重信号数に応じてガード区間長を変更できるのであれば、図１に示した構成を適宜変更した場合についても適用可能なものであることはいうまでもない。
【００６９】
さらに、本実施の形態においては、多重信号数に応じてガード区間長を変更する場合について説明したが、本発明は、以下に示す条件に応じてガード区間長を変更する場合についても適用可能なものである。すなわち、まず第１に、特定の信号（例えば、制御情報や再送情報等）を送信する場合には、ガード区間長を大きくする。第２に、特定のパケット（例えば、マルチキャスト用パケット）を送信する場合には、ガード区間長を大きくする。第３に、回線品質が悪い場合には、ガード区間長を大きくする。
【００７０】
本発明にかかる送受信装置は、ディジタル移動体通信システムにおける移動局装置や基地局装置に搭載可能なものである。
【００７１】
【発明の効果】
以上説明したように、本発明によれば、多重信号数に応じて、ＯＦＤＭ信号に挿入するガード区間の長さを変更するので、遅延波が存在する場合においても伝送効率および誤り率特性をともに良好に保つ送受信装置を提供することができる。
【図面の簡単な説明】
【図１】本発明の実施の形態１にかかる送受信装置の構成を示すブロック図
【図２】本発明の実施の形態１にかかる送受信装置における第１区間長のガード区間が挿入されたＯＦＤＭ信号のフォーマットを示す模式図
【図３】本発明の実施の形態１にかかる送受信装置における第２区間長のガード区間が挿入されたＯＦＤＭ信号のフォーマットを示す模式図
【図４】本発明の実施の形態１にかかる送受信装置におけるＩＦＦＴ処理後の信号に第１区間長のガード区間を挿入するタイミングを示す模式図
【図５】従来のＯＦＤＭ−ＣＤＭＡ方式の送受信装置の構成を示すブロック図
【図６】従来のＯＦＤＭ−ＣＤＭＡ方式の送受信装置におけるサブキャリアの様子を示す模式図
【図７】従来のＯＦＤＭ−ＣＤＭＡ方式の送受信装置において用いられるＯＦＤＭ信号のフォーマットを示す模式図
【符号の説明】
１０１ａ１〜１０１ａｎ  拡散部
１０２  加算部
１０３  Ｓ／Ｐ変換部
１０４  ＩＦＦＴ部
１０５  ガード区間挿入部
１０６  制御部
１０８  アンテナ
１０７，１０９  セレクタ
１１０  ガード区間除去部
【図１】
0003544635.tif 000002
【図２】
0003544635.tif 000003
【図３】
0003544635.tif 000004
【図４】
0003544635.tif 000005
【図５】
0003544635.tif 000006
【図６】
0003544635.tif 000007
【図７】
0003544635.tif 000008